(57)【要約】【課題】（Ｉ）油性成分及び有機溶剤への分散性が良く、化粧料への配合が容易で、保存安定性や感触の良好な化粧料を容易に得ることができる化粧料配合用のワックス状オルガノポリシロキサンを提供すること。（II）製造が容易で、保存安定性や感触の良好な化粧料を提供すること。【解決手段】本発明の化粧料配合用のワックス状オルガノポリシロキサンは、下記一般式（１）〔式中、Ｒの１つ以上は（ａ）炭素数１７〜３００の長鎖アルキル基またはヘテロ原子を含む長鎖有機基であり、（ａ）の基の割合は分子全体の７０質量％以下である。ｎの数平均は５０．０〜１０００．０である。〕で表される化学構造を持ち、融点が３０℃〜１２０℃である。本発明の化粧料は、（Ａ）油性成分および／または有機溶剤と；（Ｂ）本発明のワックス状オルガノポリシロキサンとを配合してなる。【化１】2006070218.tif 000009【選択図】    なし【特許請求の範囲】
【請求項１】
下記一般式（１）で表される変性オルガノポリシロキサンであって、融点が３０℃〜１２０℃であることを特徴とする化粧料配合用のワックス状オルガノポリシロキサン。
【化１】
2006070218.tif 000008
〔式中、Ｒは、それぞれ独立して、
（ａ）炭素数１７〜３００の長鎖アルキル基またはヘテロ原子を含む長鎖有機基；
（ｂ）水素原子、炭素数２〜１６のアルキル基、炭素数６〜１０のアリール基、炭素数７〜１４のアラルキル基、炭素数１〜８のアルコキシ基、またはヘテロ原子を含む炭素数２〜１６の有機基；あるいは
（ｃ）メチル基を示し、
ｎは０〜１２００の整数であり、ｎの数平均は５０．０〜１０００．０である。
但し、Ｒで示される基の１つ以上は（ａ）の基であり、分子全体に対する（ａ）の基の割合は７０質量％以下である。〕
【請求項２】
（Ａ）油性成分および／または有機溶剤と；（Ｂ）請求項１記載のワックス状オルガノポリシロキサンとを配合してなる化粧料。
【発明の詳細な説明】
【技術分野】
【０００１】
本発明は化粧料配合用のワックス状オルガノポリシロキサン、及びそれを配合してなる化粧料に関する。さらに詳しくは油性成分及び有機溶剤への分散性が良いため、容易に化粧料に配合可能であり、保存安定性や感触の良好な化粧料を容易に得ることができる化粧料配合用のワックス状オルガノポリシロキサン、及び、それが配合されているため、保存安定性や感触の良好な化粧料に関する。
【背景技術】
【０００２】
化粧料の粘度を高めたり、固形化したりする成分として、あるいは、化粧崩れを防ぐ成分として、ジメチルポリシロキサンのメチル基の一部を長鎖アルキル基等で置換した変性シリコーンが、ワックス状オルガノポリシロキサンとして広く使用されている。例えば、特定の吸熱特性を持つワックス状の変性シリコーンにより、べたつき感がなく、伸びの良い化粧料が得られることが提案されている（例えば、特許文献１参照）。
しかし、ワックス状オルガノポリシロキサンは一般に油性成分及び有機溶剤へ分散性が悪いため、それの配合された化粧料の製造には困難が伴い、化粧料の保存安定性や感触に悪影響を与えるという問題があった。
【特許文献１】特開２００４−２２４７２９号
【発明の開示】
【発明が解決しようとする課題】
【０００３】
本発明は以上のような事情に基づいてなされたものである。
本発明の目的は油性成分及び有機溶剤への分散性が良いため、容易に化粧料に配合可能であり、保存安定性や感触の良好な化粧料を容易に得ることができる化粧料配合用のワックス状オルガノポリシロキサンを提供することにある。
本発明の他の目的は、製造が容易で、保存安定性や感触の良好な化粧料を提供することにある。
【課題を解決するための手段】
【０００４】
上記の目的を達成するために本発明者が鋭意検討を重ねた結果、特定の化学構造と物性（融点）を持つワックス状オルガノポリシロキサンが、上記の課題を全て解決する優れたものであり、そのようなワックス状オルガノポリシロキサンを配合してなる化粧料が保存安定性や感触の良好なものとなることを見出し、かかる知見に基づいて本発明を完成するに至った。
【０００５】
すなわち、本発明の化粧料配合用のワックス状オルガノポリシロキサンは、下記一般式（１）で表される化学構造を持ち、融点が３０℃〜１２０℃であることを特徴とする。
【０００６】
【化２】
2006070218.tif 000002
【０００７】
〔式中、Ｒは、それぞれ独立して、
（ａ）炭素数１７〜３００の長鎖アルキル基またはヘテロ原子を含む長鎖有機基；
（ｂ）水素原子、炭素数２〜１６のアルキル基、炭素数６〜１０のアリール基、炭素数７〜１４のアラルキル基、炭素数１〜８のアルコキシ基、またはヘテロ原子を含む炭素数２〜１６の有機基；あるいは
（ｃ）メチル基を示し、
ｎは０〜１２００の整数であり、ｎの数平均は５０．０〜１０００．０である。
但し、Ｒで示される基の１つ以上は（ａ）の基であり、分子全体に対する（ａ）の基の割合は７０質量％以下である。〕
【０００８】
本発明の化粧料は、（Ａ）油性成分および／または有機溶剤と；（Ｂ）本発明のワックス状オルガノポリシロキサンとを配合してなることを特徴とする。
【発明の効果】
【０００９】
（１）本発明の化粧料配合用のワックス状オルガノポリシロキサンは、油性成分及び有機溶剤の何れへの分散性も優れている。
（２）本発明の化粧料配合用のワックス状オルガノポリシロキサンは、容易に化粧料に配合可能である。
（３）本発明の化粧料配合用のワックス状オルガノポリシロキサンによれば、保存安定性や感触の良好な化粧料を容易に得ることができる。
（４）本発明の化粧料は、容易に製造することができ、保存安定性や感触が良好である。
【発明を実施するための最良の形態】
【００１０】
以下、本発明について詳細に説明する。
＜ワックス状オルガノポリシロキサンの化学構造＞
本発明のワックス状オルガノポリシロキサンの化学構造は、上記一般式（１）で示されるものである。
【００１１】
Ｒの一部を構成する（ａ）炭素数１７〜３００の長鎖アルキル基またはヘテロ原子を含む長鎖有機基は、直鎖状であっても分岐状であってもよい。以下、長鎖アルキル基及びへテロ原子を含む長鎖有機基を総称して、単に「長鎖有機基」ということがある。
【００１２】
（ａ）長鎖有機基中に存在する炭素数は、通常１７〜３００とされ、好ましくは２０〜９０、更に好ましくは２０〜８０、特に好ましくは２５〜６０とされる。長鎖有機基中の炭素数が１７未満である場合には、常温下でオイル状となり、ワックス状とはならない。一方、この炭素数が３００を超える場合には融点が高くなりすぎたり、溶融粘度が高すぎたり、油性成分や有機溶剤への分散性が悪くなったりして、ワックスの用途に適用することができない。
【００１３】
長鎖アルキル基としては、直鎖状のアルキル基〔ＣＨ3 （ＣＨ2 ）p'−〕（ｐ’は１６〜２９９の整数であり、好ましくは１９〜８９、更に好ましくは１９〜７９、特に好ましくは２４〜５９である。）および分岐状のアルキル基を挙げることができ、直鎖状のアルキル基が好ましい。かかる長鎖アルキル基の具体例としては、ＣＨ3 （ＣＨ2 ）23−およびＣＨ3 （ＣＨ2 ）45−などが挙げられる。
【００１４】
ヘテロ原子を含む長鎖有機基において、へテロ原子は、炭素以外のいかなる原子であってもよい。また、多種のへテロ原子が混ざったものであってもよく、それらの位置も何れであってもよい。但し、このヘテロ原子を含む長鎖有機基は、炭素数２〜１５のアルキレン又は炭素数２〜１５のアルキレン−ＣＯ−を介してオルガノポリシロキサンに結合すると好ましい。このへテロ原子を含む長鎖有機基中のへテロ原子の総数は、１〜１０、好ましくは１〜５、より好ましくは１〜３である。好ましくは、ヘテロ原子は酸素原子又は窒素原子から選択される。
【００１５】
ヘテロ原子を含む長鎖有機基の例としては、アルコキシカルボニルアルキル基〔ＣＨ3 （ＣＨ2 ）p Ｏ（ＣＯ）（ＣＨ2 ）q −〕；アルキルアミノカルボニルアルキル基〔ＣＨ3 （ＣＨ2 ）p ＮＨＣＯ（ＣＨ2 ）q −〕；アルキルカルボニルオキシアルキル基〔ＣＨ3 （ＣＨ2 ）p ＣＯＯ（ＣＨ2 ）q −〕；アルコキシアルキル基〔ＣＨ3 （ＣＨ2 ）p Ｏ（ＣＨ2 ）q −〕；アルキルカルボニルオキシ（２−ヒドロキシ）プロピルオキシアルキル基〔ＣＨ3 （ＣＨ2 ）p ＣＯＯＣＨ2 ＣＨ（ＯＨ）ＣＨ2 Ｏ（ＣＨ2 ）q −〕；アルキルカルボニルアミノアルキル基〔ＣＨ3 （ＣＨ2 ）p ＣＯＮＨ（ＣＨ2 ）q −〕；アルキルアミノカルボニルアミノアルキル基〔ＣＨ3 （ＣＨ2 ）p ＮＨＣＯＮＨ（ＣＨ2 ）q −〕；アルコキシカルボニルアミノアルキル基〔ＣＨ3 （ＣＨ2 ）p Ｏ（ＣＯ）ＮＨ（ＣＨ2 ）q −〕；アルコキシカルボニルアミノアルキルアミノアルキル基〔ＣＨ3 （ＣＨ2 ）p Ｏ（ＣＯ）ＮＨ（ＣＨ2 ）q ＮＨ（ＣＨ2 ）r −〕；及びアルキルカルボニルアミノアルキルアミノアルキル基〔ＣＨ3 （ＣＨ2 ）p ＣＯＮＨ（ＣＨ2 ）q ＮＨ（ＣＨ2 ）r −〕で、前記炭素数のものが挙げられる。
上記各式において、ｐは、長鎖有機基中の炭素数が１７〜３００となる整数であり、ｑは１〜１５、好ましくは２〜１３の整数であり、ｒは１〜１５、好ましくは２〜１０の整数（但し、ｑ＋ｒ＝３〜１６）である。
【００１６】
本発明のワックス状オルガノポリシロキサンは、分子中に（ａ）基を１つ以上持つため、ワックス状の性状を示す。
Ｒで示される基（ｎ＋２個）のうち、（ａ）の基の個数割合は、通常５〜６０％とされ、好ましくは５〜４５％とされる。
【００１７】
Ｒの一部を構成する（ｂ）の基は、水素原子、炭素数２〜１６のアルキル基、炭素数６〜１０のアリール基、炭素数７〜１４のアラルキル基、炭素数１〜８のアルコキシ基、またはヘテロ原子を含む炭素数２〜１６の有機基である。
炭素数２〜１６のアルキル基には、エチル基、プロピル基、イソプロピル基、ブチル基、イソブチル基、ヘキシル基およびオクチル基が含まれる。
炭素数６〜１０のアリール基には、フェニル基およびナフチル基が含まれ、これらのうち、フェニル基が特に好ましい。
炭素数７〜１４のアラルキル基には、ベンジル基およびフェネチル基などが含まれる。
【００１８】
この（ｂ）の基には、オルガノポリシロキサンに長鎖有機基を導入する際に副生される基が含まれ、「ヘテロ原子を含む炭素数２〜１６の有機基」には、鎖延長反応の際に生成する中間反応性基を含む、ヒドロシリル基、ヒドロキシ基およびエポキシ基などの反応性基、並びにそれら反応性基を封鎖または不活性化した結果生じる基が包含される。
【００１９】
そのような基には、ヒドロキシアルキル基〔ＨＯ（ＣＨ2 ）q −〕；アルコキシアルキル基〔ＣＨ3 （ＣＨ2 ）s Ｏ（ＣＨ2 ）q −〕；エポキシプロピルオキシアルキル基〔ＣＨ2 （Ｏ）ＣＨＣＨ2 Ｏ（ＣＨ2 ）q −〕；アルコキシ（２−ヒドロキシ）プロピルオキシアルキル基〔ＣＨ3 （ＣＨ2 ）s ＯＣＨ2 ＣＨ（ＯＨ）ＣＨ2 Ｏ（ＣＨ2 ）q −〕；アルコキシカルボニルアルキル基〔ＣＨ3 （ＣＨ2 ）s Ｏ（ＣＯ）（ＣＨ2 ）q −〕；アルキルカルボニルオキシアルキル基〔ＣＨ3 （ＣＨ2 ）s ＣＯＯ（ＣＨ2 ）q −〕が含まれる。上記の各式中、ｓは、０〜１３、好ましくは０〜２の整数であり、ｑは、先に定義したとおりである。但し、これら基の炭素数の合計は２〜１６である。
【００２０】
Ｒで示される基（ｎ＋２個）のうち、（ｂ）の基の個数割合は、通常０〜５０％とされ、好ましくは０〜２０％、更に好ましくは０〜５％とされる。
また、上記一般式（１）に示されるワックス状オルガノポリシロキサン中の、（ａ）の基の質量割合と、前記（ｂ）の基の質量割合との合計は、分子全体に対して、通常８０％以下とされ、好ましくは６５％以下、更に好ましくは５０％以下とされる。
（ａ）の基および（ｂ）の基の質量割合の合計が８０％を超えるオルガノポリシロキサンによっては、シリコーンワックスに特有の艶、のび、良好な感触を得ることができない。
【００２１】
Ｒの一部を構成する（ｃ）の基はメチル基である。Ｒで示される基（ｎ＋２個）のうち、（ｃ）メチル基の個数割合は、通常４０〜９５％とされ、好ましくは５５〜９５％とされる。Ｒで示される基に占めるメチル基の個数割合が４０％未満であるオルガノポリシロキサンによっては、シリコーンワックスに特有の艶、のび、良好な感触を得られず、９５％より多いと、これが配合された化粧品を固化させたり、そのような化粧品によって化粧崩れを十分防ぐ事ができなくなったりする。
【００２２】
上記一般式（１）において、ｎは０〜１２００の整数であり、好ましくは５〜８００である。そして、ｎの数平均は５０．０〜１０００．０であり、好ましくは、５０．０〜５００．０である。ｎの数平均が５０．０より小さいオルガノポリシロキサンは、シリコーンワックスに特有の艶、のび、良好な感触が得られない。一方、ｎが１２００を超えて、その数平均が１０００．０を超えるとオルガノポリシロキサンは、溶融時の粘度が過大となり、伸び等の化粧料の感触が悪くなったり、化粧品への配合が困難となったりする。
【００２３】
また、上記一般式（１）において、分子全体に対する（ａ）の基の割合は７０質量％以下であり、好ましくは１０〜５０質量％である。（ａ）の基の割合が７０質量％より多いと、油性成分及び有機溶剤への分散性が不良となり、本発明の目的を達成することができない。
【００２４】
好ましい化学構造を示すと、上記一般式（１）において、Ｒの５〜４５個数％が（ａ）炭素数２５〜６０の長鎖アルキル基であり、Ｒの０〜２０個数％が（ｂ）炭素数１〜８のアルコキシ基であり、Ｒの５５〜９５個数％が（ｃ）メチル基であり；ｎが５〜８００である。
【００２５】
上記一般式（１）で表される変性オルガノポリシロキサンの具体的構造としては、Ｒの一部を構成する（ａ）長鎖有機基が長鎖アルキル基である下記一般式（１Ａ）で表されるオルガノポリシロキサン；Ｒの一部を構成する（ａ）長鎖有機基が長鎖アルキル基である下記一般式（１Ｂ）で表されるオルガノポリシロキサン；Ｒの一部を構成する（ａ）長鎖有機基が式：Ｒa −Ｏ−（Ｙ）m −（式中、Ｒa は、炭素数１〜９９のアルキル基を示し、Ｙは、炭素数１〜９９のアルキレン基もしくは酸素原子を含む炭素数１〜９９の２価の有機基を示し、ｍは１〜９９である。）で示される基である下記一般式（１Ｃ）で表されるオルガノポリシロキサンを挙げることができる。
【００２６】
【化３】
2006070218.tif 000003
【００２７】
（式中、ａおよびｂは、その合計が１〜１２００となる整数であり、ｐ’、ｎ、ｐおよびｑは、それぞれ、先に定義したとおりである。）
【００２８】
＜ワックス状オルガノポリシロキサンの物性値−融点＞
本発明の化粧料配合用のワックス状オルガノポリシロキサンは、上記一般式（１）で表されると共に、更に、融点が３０℃〜１２０℃であることが必要である。
融点が３０℃未満であると、夏期など室温で液状となるので、貯蔵時に溶解してしまうし、これを配合してなる製品（化粧品）が柔らかくなりすぎるのでワックス状オルガノポリシロキサンとしての用をなさない。また、融点が１２０℃より大きいと、溶解させるのに多大の熱が必要であり実用的でない。融点は３５〜１００℃であることが好ましく４０〜８０℃が特に好ましい。ワックス状オルガノポリシロキサンの融点は、オルガノポリシロキサンの長鎖基、即ち上記一般式（１）中の（ａ）基が主に影響する。即ち、（ａ）基に該当する化合物（例えば、イコシル基の場合、１−イコセン）とほぼ同じ程度になる。その他、珪素に結合した基中の（ａ）基の割合を多くすることや、ポリシロキサン鎖を長くすることにより、融点は高くなる。
【００２９】
＜ワックス状オルガノポリシロキサンの製造方法＞
本発明のワックス状オルガノポリシロキサンは、通常の変性ジメチルポリシロキサンの製造方法により製造可能である。例えば、メチル基の一部が水素原子基で置換されたジメチルポリシロキサンとα−オレフィンとをヒドロシリル化反応させることにより得ることができる。
以上のような特定の化学構造および物性値（融点）を持つ本発明のワックス状オルガノポリシロキサンは、化粧料に配合されるワックスとして、好適に使用することができる。
【００３０】
＜化粧料＞
本発明の化粧料は（Ａ）油性成分および／または有機溶剤と（以下、これらを「成分（Ａ）」ともいう。）；（Ｂ）本発明のワックス状オルガノポリシロキサン（以下、「成分（Ｂ）ともいう。）とが配合されたものである。
【００３１】
本発明の化粧料の成分（Ａ）の一つを構成する油性成分は、通常の化粧料に使用されるものであれば、固体、半固体、液状の何れのものであってもよく、例えば天然動植物油脂類、半合成油脂、炭化水素油、高級アルコール、エステル油、フッ素系油剤およびシリコーン油などが包含される。
【００３２】
油性成分として使用される「天然動植物油脂類」および「半合成油脂」としては、アボガド油、アマニ油、アーモンド油、イボタロウ、エノ油、オリーブ油、カカオ脂、カポックロウ、カヤ油、カルナウバロウ、肝油、キャンデリラロウ、牛脂、牛脚脂、牛骨脂硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油、脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ラウリン酸ヘキシル、ポリオキシエチレン（ＰＯＥ）ラノリンアルコールエーテル、ＰＯＥラノリンアルコールアセテート、ラノリン脂肪酸ポリエチレングリコール、ＰＯＥ水素添加ラノリンアルコールエーテルおよび卵黄油などが挙げられる。
【００３３】
油性成分として使用される「炭化水素油」としては、オゾケライト、スクワラン、スクワレン、セレシン、パラフィン、パラフィンワックス、流動パラフィン、流動イソパラフィン、プリスタン、ポリイソブチレン、マイクロクリスタリンワックス、ワセリンなど；高級脂肪酸としては、ラウリン酸、ミリスチン酸、パルミチン酸、ステアリン酸、ベヘニン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸およびエルカ酸などが挙げられる。
【００３４】
油性成分として使用される「高級アルコール」としては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）およびモノオレイルグリセリルエーテル（セラキルアルコール）などが挙げられる。
【００３５】
油性成分として使用される「エステル油」としては、イソノナン酸イソデシル、イソノナン酸イソトリデシル、イソノナン酸イソノニル、アジピン酸ジイソブチル、アジピン酸２−ヘキシルデシル、アジピン酸ジ−２−ヘプチルウンデシル、モノイソステアリン酸ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリルなど；グリセライド油としては、アセトグリセリル、トリイソオクタン酸グリセリル、トリイソステアリン酸グリセリル、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリルなどが挙げられる。
油性成分として使用される「フッ素系油剤」としては、パーフルオロポリエーテル、パーフルオロデカリン、パーフルオロオクタンなどが挙げられる。
【００３６】
本発明の化粧料においては、油性成分としてシリコーン油を含有することが、ワックス状オルガノポリシロキサンの分散性が特に優れるため好ましい。
ここに、「シリコーン油」としては、例えば、重合度（シロキサン鎖中のケイ素数）が１０以上のジメチルポリシロキサンおよびそのメチル基の一部が置換された、液状〜ガム状のものが挙げられる。シロキサン鎖は分岐鎖を持っていてもよく、一部架橋していてもよい。置換基としては、炭素数２〜１６の直鎖または分岐状のアルキル基、アリール基（例えばフェニル基、２−フェニルエチル基）、アミノ置換アルキル基（例えば−Ｃ3 Ｈ6 ＮＨ2 、−Ｃ3 Ｈ6 ＮＨＣ2 Ｈ4 ＮＨ2 ）、糖誘導体基、グリセリル基、ポリグリセリル基などが挙げられる。特に好ましいものとして、重合度１０〜４００のジメチルポリシロキサンが挙げられる。
【００３７】
本発明の化粧料の成分（Ａ）の一つを構成する有機溶剤は、通常の化粧料に使用されるものであればよく、エタノール、イソプロパノールなどの低級アルコール類、テトラクロロジフルオロエタン、炭素数２〜９のポリシロキサン（例えば、炭素数２〜９の直鎖状ジメチルポリシロキサン、炭素数４〜５の環状ジメチルポリシロキサン、これらのメチル基の一部をフェニル基で置換したもの）などが挙げられる。特に好ましいものとして炭素数４〜５の環状ジメチルポリシロキサンが挙げられる。
【００３８】
上記成分（Ａ）は、本発明の化粧料中、０．０１〜９９．０質量％の割合で配合されていることが好ましく、更に好ましくは０．１〜９５．０質量％である
本発明の化粧料に使用される上記ワックス状オルガノポリシロキサン（本発明のワックス状オルガノポリシロキサン）は、これらの油性成分及び有機溶剤への分散性に優れているため、従来のワックス状オルガノポリシロキサンを配合した化粧料と比較し、本発明の化粧料は容易に製造可能であり、保存安定性や感触の優れた物となる。
【００３９】
本発明の化粧料においては、油性成分及び／または有機溶剤からなる成分（Ａ）１００質量部に対して、本発明のワックス状オルガノポリシロキサンからなる成分（Ｂ）を０．１〜３００質量部の割合で含有することが好ましく、更に好ましくは０．２〜５０質量部の割合である。
【００４０】
本発明の化粧料には、その目的に応じて、通常の化粧料を構成する種々の成分を任意成分として含有させることができる。かかる任意成分としては、界面活性剤を挙げることができる。このような界面活性剤としては、アニオン性、カチオン性、非イオン性および両性のものがあるが、本発明においては特に制限されるものではなく、通常の化粧料に使用されるものであれば、いずれのものも使用することができる。
【００４１】
以下に具体的に例示すると、アニオン性界面活性剤としては、ステアリン酸ナトリウムやパルミチン酸トリエタノールアミンなどの脂肪酸セッケン、アルキルエーテルカルボン酸およびその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキルおよびアリルエーテル硫酸エステル塩、脂肪酸エステルの硫酸エステル塩、脂肪酸アルキロールアミドの硫酸エステル塩、ロート油などの硫酸エステル塩類、アルキルリン酸塩、エーテルリン酸塩、アルキルアリルエーテルリン酸塩、アミドリン酸塩、Ｎ−アシルアミノ酸系活性剤などが挙げられる。
【００４２】
ここに、好適なアニオン性界面活性剤として、脂肪酸セッケン、α−アシルスルホン酸塩、アルキルスルホン酸塩、アルキルアリルスルホン酸塩、アルキルナフタレンスルホン酸塩、アルキル硫酸塩、ポリオキシエチレンアルキルエーテル硫酸塩、アルキルアミド硫酸塩、アルキルリン酸塩、アルキルアミドリン酸塩、アルキロイルアルキルタウリン塩、Ｎ−長鎖アシルアミノ酸塩、ポリオキシエチレンアルキルエーテルリン酸塩などが例示される。
【００４３】
カチオン性界面活性剤としては、アルキルアミン塩、ポリアミンおよびアミノアルコール脂肪酸誘導体などのアミン塩、アルキル四級アンモニウム塩、芳香族四級アンモニウム塩、ピリジウム塩、イミダゾリウム塩などが挙げられる。
【００４４】
ここに、好適なカチオン性界面活性剤として、塩化セチルトリメチルアンモニウム、塩化ステアリルトリメチルアンモニウム、塩化ベヘニルトリメチルアンモニウム、塩化ベヘニルジメチルヒドロキシエチルアンモニウム、塩化ステアリルジメチルベンジルアンモニウム、塩化ジステアリルジメチルアンモニウム、塩化ラウリルトリメチルアンモニウム、塩化ミリスチルジメチルベンジルアンモニウム、ラノリン脂肪酸アミノプロピルエチルジメチルアンモニウムエチルサルフェートおよびセチルトリエチルアンモニウムメチルサルフェートなどの第四級アンモニウム塩が例示される。
【００４５】
非イオン性界面活性剤としては、ソルビタン脂肪酸エステル、グリセリン脂肪酸エステル、ポリグリセリン脂肪酸エステル、プロピレングリコール酸エステル、ポリエチレングリコール酸エステル、ショ糖酸エステル、ポリオキシエチレンアルキルエーテル、ポリオキシプロピレンアルキルエーテル、ポリオキシエチレンアルキルフェニルエーテル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、アルカノールアミド、糖エーテル、糖アミドなどが挙げられる。
【００４６】
ここに、好適な非イオン性界面活性剤として、ポリオキシエチレンアルキルエーテル、アルキルアリルポリオキシエチレンエーテル、アルキロールアミド、アルキルグリセリンエーテル型ポリオキシエチレンエーテル、プロピレングリコールエステルのポリオキシエチレンエーテル、ポリオキシエチレン脂肪酸エステル、グリセリンと脂肪酸のエステルのポリオキシエチレンエーテル、脂肪酸のソルビタンエステルのポリオキシエチレンエーテル、ソルビトールポリオキシエチレンの脂肪酸エステル、ショ糖エステル、ポリオキシエチレン脂肪酸アミド、ポリオキシエチレンアルキルアミン、ポリオキシアルキレン−オルガノポリシロキサン共重合体などが例示される。
【００４７】
両性界面活性剤としては、ベタイン型（カルボキシベタイン・スルホベタイン）、アミドベタイン型、アミノカルボン酸塩型、イミダゾリン誘導体型などが挙げられる。
【００４８】
本発明の化粧料には、その目的に応じて粉体や着色剤を用いることができる。このような粉体や着色剤は、通常の化粧料に使用されるものであれば、その形状（球状、針状、板状など）や粒子径（煙霧状、微粒子、顔料級など）、粒子構造（多孔質、無孔質など）を問わず、いずれのものも使用することができる。例えば、無機粉体、有機粉体、および界面活性剤金属塩粉体のような粉体、有色顔料、パール顔料、タール色素、金属粉末顔料、および天然色素のような着色剤が挙げられる。
【００４９】
無機粉体の具体例としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、シリカなどが挙げられる。
【００５０】
有機粉体の具体例としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、シリコーンパウダー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネート樹脂、微結晶繊維粉体、デンプン粉末、ラウロイルリジンなどが挙げられる。更に、大部分が−［Ｓｉ−Ｏ−］n −骨格からなる有機粉末も好ましいものとして挙げられる。この場合、分子内の一部に−Ｓｉ（ＣＨ2 ）m −Ｓｉ−結合を有してもよい。
【００５１】
界面活性剤金属塩粉体（金属石鹸）の具体例としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウムなどが挙げられる。
【００５２】
有色顔料の具体例としては、酸化鉄、水酸化鉄、チタン酸鉄の無機赤色顔料、γー酸化鉄などの無機褐色系顔料、黄酸化鉄、黄土などの無機黄色系顔料、黒酸化鉄、カーボンブラックなどの無機黒色顔料、マンガンバイオレット、コバルトバイオレットなどの無機紫色顔料、水酸化クロム、酸化クロム、酸化コバルト、チタン酸コバルトなどの無機緑色顔料、紺青、群青などの無機青色系顔料、タール系色素をレーキ化したもの、天然色素をレーキ化したもの、およびこれらの粉体を複合化した合成樹脂粉体などが挙げられる。
【００５３】
パール顔料の具体例としては、酸化チタン被覆マイカ、オキシ塩化ビスマス、酸化チタン被覆オキシ塩化ビスマス、酸化チタン被覆タルク、魚鱗箔、酸化チタン被覆着色雲母など；金属粉末顔料としては、アルミニウムパウダー、カッパーパウダー、ステンレスパウダーなどが挙げられる。
【００５４】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号など；天然色素としては、カルミン酸、ラッカイン酸、カルサミン、ブラジリン、クロシンなどから選ばれる粉体が挙げられる。
【００５５】
これらの粉体は本発明の効果を妨げない範囲で、粉体の複合化や一般油剤、シリコーン油、フッ素化合物、界面活性剤などで処理したものも使用することができ、必要に応じて一種、または二種以上用いることができる。
【００５６】
また、本発明の化粧料には、増粘剤、懸濁剤、または乳化安定剤として水溶性高分子を含めることもできる。水溶性高分子としては、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ）、アルゲコロイド、トラントガム、ローカストビーンガムなどの植物系高分子、キサンタンガム、デキストラン、サクシノグルカン、プルランなどの微生物系高分子、コラーゲン、カゼイン、アルブミン、ゼラチンなどの動物系高分子、カルボキシメチルデンプン、メチルヒドロキシプロピルデンプンなどのデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース系高分子、アルギン酸ナトリウム、アルギン酸プロピレングリコールエステルなどのアルギン酸系高分子、ポリビニルメチルエーテル、カルボキシビニルポリマーなどのビニル系高分子、ポリオキシエチレン系高分子、ポリオキシエチレンポリオキシプロピレン共重合体系高分子、ポリアクリル酸ナトリウム、ポリエチルアクリレート、ポリアクリルアミドなどのアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸などの無機系水溶性高分子などがある。
【００５７】
また、アニオン性の水溶性高分子として、前述したアラビアゴム、カラギーナン、ペクチン、キサンタンガム、アルギン酸ナトリウム、カルボキシビニルポリマーなどのほか、デルマタン硫酸、ケラタン硫酸、ヘパラン硫酸およびこれらの塩などが挙げられる。
【００５８】
また、カチオン性の水溶性高分子として、カチオン変性セルロースエーテル誘導体〔ポリマーＪＲ（Ｕ．Ｃ．Ｃ）等〕、カチオン性デンプン、カチオン化グアーガム誘導体、ジアリルジメチルアンモニウムクロリドのポリマー〔マーコート（Ｍｅｒｋ）等〕、ポリアクリル酸誘導体四級アンモニウム〔Ｃａｒｔｅｘ（Ｎａｔｉｏｎａｌ  Ｓｔａｒｃｈ等）〕、ポリアミド誘導体四級アンモニウム（Ｓａｎｄｏｚ等）、ポリオキシエチレンポリアルキレンポリアミン〔ポリコート（ＨＥＮＫＥＬ）等〕などが挙げられる。
【００５９】
また、両性の水溶性高分子として、カルボキシル基やスルホン酸基などの陰イオン性基を有するモノマーと塩基性窒素を有するモノマーとの共重合体、カルボキシベタイン型モノマーの重合体または共重合体、カルボキシル基やスルホン酸基などの陰イオン性基を陽イオン性ポリマーに導入したもの、塩基性窒素含有基を陰イオン性ポリマーに導入したもの、アクリルアミドなどの非イオン性基を有するモノマーと陰イオン性基を有するモノマーと塩基性窒素含有基を有するモノマーの共重合体などがある。両性の水溶性高分子としては、市販のものを用いることができ、例えばアクリル酸／ジアリル第４級アンモニウム塩／アクリルアミドの共重合体としてマーコートプラス３３３０（ＣＡＬＧＯＮ社製）などが挙げられる。
【００６０】
また、非イオン性の水溶性高分子として、前述したガラクタン、メチルセルロース、メチルヒドロキシプロピルセルロース、ヒドロキシプロピルセルロースなどのほか、ヒドロキシエチルセルロース、デキストリンが挙げられる。
【００６１】
また、本発明の化粧料には、ポリビニルアルコールやポリビニルピロリドンのような皮膜形成剤も含めることができ、これらも水溶性高分子である。
【００６２】
本発明の化粧料には、上記成分の他、本発明の効果を妨げない範囲で通常の化粧料に使用される成分、例えば、水、皮膜形成剤、油溶性ゲル化剤、有機変性粘土鉱物、樹脂、紫外線吸収剤、紫外線散乱剤、保湿剤、防腐剤、抗菌剤、香料、薬剤、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤など）、ビタミン類、アミノ酸類、核酸、ホルモン、包接化合物、蛋白または蛋白分解物などを添加することができる。
【００６３】
油溶性ゲル化剤としては、アルミニウムステアレート、マグネシウムステアレート、ジンクミリステートなどの金属セッケン、Ｎ−ラウロイル−Ｌ−グルタミン酸、α，γ−ジ−ｎ−ブチルアミンなどのアミノ酸誘導体、デキストリンパルミチン酸エステル、デキストリンステアリン酸エステル、デキストリン２−エチルヘキサン酸パルミチン酸エステルなどのデキストリン脂肪酸エステル、ショ糖パルミチン酸エステル、ショ糖ステアリン酸エステルなどのショ糖脂肪酸エステル、モノベンジリデンソルビトール、ジベンジリデンソルビトールなどのソルビトールのベンジリデン誘導体、ジメチルベンジルドデシルアンモニウムモンモリロナイトクレー、ジメチルジオクタデシルアンモニウムモンモリナイトクレーなどの有機変性粘土鉱物などから選ばれるゲル化剤が挙げられる。
【００６４】
紫外線吸収剤としては、パラアミノ安息香酸などの安息香酸系紫外線吸収剤、アントラニル酸メチルなどのアントラニル酸系紫外線吸収剤、サリチル酸メチルなどのサリチル酸系紫外線吸収剤、パラメトキシケイ皮酸オクチル、パラメトキシケイ皮酸２−エチルヘキシルなどのケイ皮酸系紫外線吸収剤、２，４−ジヒドロキシベンゾフェノンなどのベンゾフェノン系紫外線吸収剤、ウロカニン酸エチルなどのウロカニン酸系紫外線吸収剤、４−ｔ−ブチル−４’−メトキシ−ジベンゾイルメタンなどのジベンゾイルメタン系紫外線吸収剤などが挙げられる。
【００６５】
保湿剤としては、グリセリン、ソルビトール、エチレングリコール、プロピレングリコール、ジプロピレングリコール、１，３−ブチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシドなどがある。
【００６６】
防腐剤、抗菌剤としては、パラオキシ安息香酸アルキルエステル、安息香酸、安息香酸ナトリウム、ソルビン酸、ソルビン酸カリウム、フェノキシエタノールなど、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール、エチルパラベン、ブチルパラベンなどがある。
【００６７】
酸化防止剤としては、トコフェロール、ブチルヒドロキシアニソール、ジブチルヒドロキシトルエン、フィチン酸など、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウムなど、キレート剤としては、アラニン、エデト酸ナトリウム塩、ポリリン酸ナトリウム、メタリン酸ナトリウム、リン酸など、清涼剤としては、Ｌ−メントール、カンフルなど、抗炎症剤としては、アラントイン、グリチルリチン酸およびその塩、グリチルレチン酸およびグリチルレチン酸ステアリル、トラネキサム酸、アズレンなどが挙げられる。
【００６８】
美肌用成分としては、胎盤抽出液、アルブチン、グルタチオン、ユキノシタ抽出物などの美白剤、ロイヤルゼリー、感光素、コレステロール誘導体、幼牛血液抽出液などの細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール、デキストラン硫酸ナトリウムなどの血行促進剤、酸化亜鉛、タンニン酸などの皮膚収斂剤、イオウ、チアントロールなどの抗脂漏剤などが挙げられる。
【００６９】
ビタミン類としては、ビタミンＡ油、レチノール、酢酸レチノール、パルミチン酸レチノールなどのビタミンＡ類、リボフラビン、酪酸リボフラビン、フラビンアデニンヌクレオチドなどのビタミンＢ２類、ピリドキシン塩酸塩、ピリドキシンジオクタノエート、ピリドキシントリパルミテートなどのビタミンＢ６類、ビタミンＢ１２およびその誘導体、ビタミンＢ１５およびその誘導体などのビタミンＢ類、Ｌ−アスコルビン酸、Ｌ−アスコルビン酸ジパルミチン酸エステル、Ｌ−アスコルビン酸−２−硫酸ナトリウム、Ｌ−アスコルビン酸リン酸ジエステルジカリウムなどのビタミンＣ類、エルゴカルシフェロール、コレカルシフェロールなどのビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロールなどのビタミンＥ類、ビタミンＨ、ビタミンＰ、ニコチン酸、ニコチン酸ベンジル、ニコチン酸アミドなどのニコチン酸類、パントテン酸カルシウム、Ｄ−パントテニルアルコール、パントテニルエチルエーテル、アセチルパントテニルエチルエーテルなどのパントテン酸類、ビオチンなどがある。アミノ酸類としては、グリシン、ヴァリン、ロイシン、イソロイシン、セリン、トレオニン、フェニルアラニン、アルギニン、リジン、アスパラギン酸、グルタミン酸、シスチン、システイン、メチオニン、トリプトファンなど、核酸としては、デオキシリボ核酸など、ホルモンとしては、エストラジオール、エテニルエストラジオールなどが挙げられる。
【００７０】
蛋白または蛋白分解物としては、前述したゼラチン、コラーゲンのほか、大豆蛋白、絹フィブロイン、エラスチンなどが挙げられる。
【００７１】
本発明の化粧料には、油中水型乳化物や水中油型乳化物などの乳化状のものも含まれ、その使用目的にあわせて、オイル状、クリーム状、ムース状、ゲル状、ワックス状、スティック状などの様々な形態を有することができる。
本発明の化粧料は製造方法により限定されるものではなく、通常の製造方法により製造可能である。例えば、各成分を混合することにより製造可能である。特に、ワックス状オルガノポリシロキサンと油性成分及び／または有機溶剤を混合した後、他の成分と混合する方法が好ましい。
【実施例】
【００７２】
以下、実施例により本発明を詳細に説明するが、本発明はこれらに限定されるものではない。なお、以下の実施例において、ＧＰＣの測定条件は下記の通りである。
【００７３】
［ＧＰＣ］
・装置：「ＧＰＣ測定システム」（Ｓｈｏｄｅｘ社製）
・カラム：「Ｓｈｏｄｅｘ−８０３Ｌ」（昭和電工株式会社製）
・検出器：屈折率（ＲＩ）検出器「ＲＩ−５０４Ｒ」（ＧＬサイエンス株式会社製）
・検量線：昭和電工株式会社製の１０種類の標準ポリスチレン（分子量１．２×１０3 〜２．７５×１０6 ）を用いて測定
・測定法：温度４０℃において、クロロホルムを１．０ｍｌ／分で流し、これに試料（濃度０．３質量％）１００μｌを注入した。
【００７４】
＜ワックス状シリコーンの調製例＞
〔中間原料／ヒドロメチルポリシロキサン（ＳｉＨ１）の製造〕
下記表１に示す処方に従って、ヘキサメチルジシロキサン１．９６ｇ、オクタメチルシクロテトラシロキサン８８．９８ｇ、テトラメチルシクロテトラシロキサン９．０６ｇ、および３０ｍｌの硫酸を２リットルのフラスコに仕込み、２５℃の室温で８時間攪拌した。これを中和後、濾過することにより中間原料であるヒドロメチルポリシロキサンを得た。以下、これを（ＳｉＨ１）と称す。
【００７５】
〔中間原料／ヒドロメチルポリシロキサン（ＳｉＨ２）〜（ＳｉＨ３）の製造〕
下記表１に示す処方に従って、ヘキサメチルジシロキサン、オクタメチルシクロテトラシロキサン及びテトラメチルシクロテトラシロキサンの仕込み量を変更した以外は（ＳｉＨ１）の製造と同様の方法により、ヒドロメチルポリシロキサンを得た。以下、これらを（ＳｉＨ２）〜（ＳｉＨ３）と称す。
【００７６】
【表１】
2006070218.tif 000004
【００７７】
上記のようにして得られた（ＳｉＨ１）〜（ＳｉＨ３）は、その原料の仕込み比より、下記化学式（ｉ）〜(iii) で示される構造を有するものであると推察される。
なお、式中の繰り返し数は平均値である。
【００７８】
【化４】
2006070218.tif 000005
【００７９】
（ＳｉＨ１）〜（ＳｉＨ３）の各々について測定したＧＰＣのチャートを図１〜図３に示す。これらのＧＰＣの測定結果から、（ＳｉＨ１）〜（ＳｉＨ３）は、ほぼ、上記の推察構造となっていることが確認された。
【００８０】
＜実施例１（アルキル変性１）＞
上記（ＳｉＨ１）５１．０ｇ、炭素数＝２６〜５０（平均３０）の長鎖α−オレフィン「ダイアレン３０」（三菱化学株式会社製，Ｍｗ＝７２９、Ｍｗ／Ｍｎ＝１．４０）４９．０ｇ及びキシレン１００ｇを４つ口フラスコに仕込み、白金触媒（塩化白金酸）を用い、１００℃で６時間ヒドロシリル化反応を行った。その後、「ダイヤレン８」（三菱化学株式会社製，Ｍｗ= １１２、Ｍｗ／Ｍｎ＝１．０）を１０ｇ入れ、１時間ヒドロシリル化反応を行った。ヒドロシリル化反応の終了後、キシレンを減圧下で除去することにより本発明のワックス状オルガノポリシロキサンを得た。これをワックス状シリコーン（１）と称す。
【００８１】
ワックス状シリコーン（１）は、長鎖α−オレフィンに由来の長鎖アルキル基を、上記一般式（１）のＲを構成する（ａ）の基とするものである。
ワックス状シリコーン（１）において、（ａ）の基、（ｂ）の基、（ｃ）の基（メチル基）の個数割合は、ほぼ１０：１．５：８８．５であり、分子全体に対する（ａ）の基の割合は、ほぼ４０質量％である。
【００８２】
＜実施例２（アルキル変性２）＞
（ＳｉＨ１）に代えて上記（ＳｉＨ２）３６．５ｇを用い、「ダイアレン３０」の仕込み量を６３．５ｇに変更した以外は実施例１と同様の方法により、長鎖α−オレフィンに由来する長鎖有機基を（ａ）の基とする、本発明のワックス状オルガノポリシロキサンを得た。これをワックス状シリコーン（２）と称す。
【００８３】
ワックス状シリコーン（２）は、長鎖α−オレフィンに由来の長鎖アルキル基を、上記一般式（１）のＲを構成する（ａ）の基とするものである。
ワックス状シリコーン（２）において、（ａ）の基、（ｂ）の基、（ｃ）の基（メチル基）の個数割合は、ほぼ１８：２：８０であり、分子全体に対する（ａ）の基の割合は、ほぼ５０質量％である。
【００８４】
＜実施例３（エステル変性）＞
上記（ＳｉＨ２）３１．３ｇ、ウンデシレン酸メチル１６．１ｇ及びトルエン１００ｇを４つ口フラスコに仕込み、白金触媒（塩化白金酸）を用い、１００℃で６時間ヒドロシリル化反応を行った。ヒドロシリル化反応の終了後、炭素数＝３０〜６０（平均４０）の長鎖アルコール「ユニリン５５０」（東洋ペトライト（株）製）５２．６ｇとチタンテトライソブトキシド０．５ｇを仕込み、トルエン還流下で２時間加熱した。その後、トルエンを減圧下で除去することにより本発明のワックス状オルガノポリシロキサンを得た。これをワックス状シリコーン（３）と称す。
【００８５】
ワックス状シリコーン（３）は、ヒドロシリル化反応およびエステル化反応により導入されたアルコキシカルボニルアルキル基（ヘテロ原子を含む長鎖有機基）を、上記一般式（１）のＲを構成する（ａ）の基とするものである。
ワックス状シリコーン（３）において、（ａ）の基、（ｂ）の基、（ｃ）の基（メチル基）の個数割合は、ほぼ２５：２：７３であり、分子全体に対する（ａ）の基の割合は、ほぼ６５質量％である。
【００８６】
＜比較例１（アルキル変性）＞
「ダイアレン３０」１００ｇをトルエン３００ｇ中に添加し、８０℃に加熱して溶解させた。次いで、この溶液の温度を６０〜７０℃まで冷却した後、イソプロピルアルコール（２５℃）７００ｇ中に攪拌しながら展開することによりα−オレフィンを沈澱させた。次いで、沈澱物を含む当該溶液を遠心濾過器（直径２５ｃｍ，２０００ｒｐｍ）で２分間濾過処理を行って濾過ケーキを得た。次いで、濾過ケーキをトルエン２５０ｇで洗浄する操作（５分間）を４回繰り返した後、当該濾過ケーキをストリッピングして溶剤を除去し、精製α−オレフィンを得た。
得られた精製α−オレフィン８２．０ｇ、上記（ＳｉＨ３）１８．０ｇ及びキシレン１００ｇを４つ口フラスコに仕込み、白金触媒（塩化白金酸）を用い、１００℃で６時間ヒドロシリル化反応を行った。その後、「ダイヤレン８」（三菱化学株式会社製，Ｍｗ= １１２、Ｍｗ／Ｍｎ＝１．０）を１０ｇ入れ、１時間ヒドロシリル化反応を行った。ヒドロシリル化反応の終了後、キシレンを減圧下で除去することによりワックス状オルガノポリシロキサンを得た。
得られたワックス状オルガノポリシロキサンは、分子全体に対する（ａ）の基の割合が７５質量％であり、７０質量％を超えている点で、本発明のものとは異なる。これをワックス状シリコーン（Ｃ１）と称す。
【００８７】
＜比較例２（エステル変性）＞
「ユニリン５５０」１００質量部を、トルエンとイソプロピルアルコールとの混合溶剤（混合質量比＝２０：１）２１００質量部中に添加し、８０℃に加熱して溶解させた。次いで、この溶液を室温まで冷却して長鎖アルコールを再結晶させた。次いで、再結晶した長鎖アルコールを含む当該溶液を遠心濾過器（直径２５ｃｍ，２０００ｒｐｍ）で３０分間濾過処理を行って濾過ケーキを得た。次いで、当該濾過ケーキをストリッピングして溶剤を除去し、精製長鎖アルコールを得た。
上記（ＳｉＨ３）１３．９ｇ、ウンデシレン酸メチル１９．９ｇ及びトルエン１００ｇを４つ口フラスコに仕込み、白金触媒（塩化白金酸）を用い、１００℃で６時間ヒドロシリル化反応を行った。ヒドロシリル化反応の終了後、前記精製長鎖アルコール６６．２ｇとチタンテトライソブトキシド０．５ｇを仕込み、トルエン還流下で２時間加熱した。その後、トルエンを減圧下で除去することによりワックス状オルガノポリシロキサンを得た。  得られたワックス状オルガノポリシロキサンは、分子全体に対する（ａ）の基の割合が８０質量％であり、７０質量％を超えている点で、本発明のものとは異なる。これをワックス状シリコーン（Ｃ２）と称す。
【００８８】
＜ワックス状オルガノポリシロキサンの溶融特性の測定＞
示差走査熱量計「ＤＳＣ−６２００」（セイコー電子工業株式会社製）により試料５ｍｇを用いて測定した。昇温・冷却条件としては、３０℃で５分間放置した後、１０℃／ｍｉｎの条件で１８０℃まで昇温（第１の昇温過程）し、次いで、１８０℃で５分間放置後、−１０℃／ｍｉｎの条件で３０℃まで冷却し（第１の冷却過程）、次いで、３０℃で５分間放置した後、１０℃／ｍｉｎの条件で１７０℃まで昇温した（第２の昇温過程）。そして、第２の昇温過程での吸熱曲線の最大ピークにおける温度（Ｔｍ）を融点とした。
ワックス状シリコーン（１）〜（３）及び（Ｃ１）〜（Ｃ２）の各々について、融点、及び当該吸熱曲線とそのベースラインとにより区画される全ての面積に対する（Ｔｍ−２０）℃以下の部分の面積の比率を測定した。結果を下記表２に示す。
【００８９】
【表２】
2006070218.tif 000006
【００９０】
＜ワックス状オルガノポリシロキサンの基剤への分散性の評価＞
ワックス状シリコーン（１）〜（３）及び（Ｃ１）〜（Ｃ２）の各々からなる試料５ｇを５０ｍｌのビーカーに取り、ｎ−流動パラフィン１０ｇを入れ９０℃に加熱し、ガラス棒で攪拌したときの分散性（ｎ−流動パラフィンへの分散性）を評価した。
また、ｎ−流動パラフィンに代えてイソノナン酸イソノニル１０ｇを用いたこと以外は同様にして、イソノナン酸イソノニルへの分散性を評価した。
更に、ｎ−流動パラフィンに代えてデカメチルシクロペンタシロキサン１０ｇを用いたこと以外は同様にして、デカメチルシクロペンタシロキサンへの分散性を評価した。
評価は「◎」、「○」、「△」、「×」の４段階の相対評価とした。結果を下記表３に示す。
【００９１】
【表３】
2006070218.tif 000007
【００９２】
＜実施例４（油中水型固形クリームの調製例）＞
下記に示す配合処方Ａに従い、下記のようにして油中水型固形クリーム（本発明の化粧料）を製造した。
下記〔１〕〜〔４〕の成分を加熱溶解させて７０℃のホモミキサーで均一に混合した。これに、予め均一に混合しておいた〔５〕と〔６〕の混合物を攪拌しながら徐々に加えて均一物としたのち、室温に冷却し、油中水型固形クリームを得た。
【００９３】
［配合処方Ａ］
〔１〕ワックス状シリコーン（１）                  ３０質量部
〔２〕ジメチルポリシロキサン（５ｍｍ2 ／ｓ）      ２４質量部
〔３〕デカメチルシクロペンタシロキサン            ２４質量部
〔４〕ポリオキシエチレン（２３）ラウリルエーテル    ２質量部
〔５〕１，３ブタンジオール                          ２質量部
〔６〕精製水                                      １８質量部
【００９４】
＜実施例５（油中水型固形クリームの調製例）＞
ワックス状シリコーン（１）３０質量部に代えてワックス状シリコーン（２）３０質量部を使用した以外は実施例４と同様に油中水型固形クリームを調製した。
【００９５】
＜実施例６（油中水型固形クリームの調製例）＞
ワックス状シリコーン（１）３０質量部に代えてワックス状シリコーン（３）３０質量部を使用した以外は実施例４と同様に油中水型固形クリームを調製した。
【００９６】
＜実施例７（口紅の調製例）＞
下記に示す配合処方Ｂに従い、下記のようにして口紅（本発明の化粧料）を製造した。  下記〔１〕〜〔４〕の成分を加熱溶解させて７０℃のホモミキサーで均一に混合した。これに、予め均一に混合しておいた〔５〕〜〔８〕の混合物を攪拌しながら徐々に加えて均一物としたのち、型に入れ室温（２５℃）に冷却し、固形スティック状の口紅を得た。
【００９７】
［配合処方Ｂ］
〔１〕ワックス状シリコーン（１）                  ３０質量部
〔２〕ジメチルポリシロキサン（５ｍｍ2 ／ｓ）      １５質量部
〔３〕デカメチルシクロペンタシロキサン            ３０質量部
〔４〕ポリエーテル変性シリコーン「ＳＳ−２８０３」（日本ユニカー（株）製）
５質量部
〔５〕イソノナン酸イソノニル                        ８質量部
〔６〕プロピレングリコール                          ２質量部
〔７〕ポリブテン「パールリーム４６」（日本油脂（株）製）
１０質量部
〔８〕顔料                                            適量
【００９８】
＜実施例８（口紅の調製例）＞
ワックス状シリコーン（１）３０質量部に代えてワックス状シリコーン（２）３０質量部を使用した以外は実施例７と同様に固形スティック状の口紅を調製した。
【００９９】
＜実施例９（口紅の調製例）＞
ワックス状シリコーン（１）３０質量部に代えてワックス状シリコーン（３）３０質量部を使用した以外は実施例７と同様に固形スティック状の口紅を調製した。
【０１００】
＜実施例１０（ファンデーションの調製例）＞
下記に示す配合処方Ｃに従い、下記のようにしてファンデーション（本発明の化粧料）を製造した。
下記〔１〕〜〔４〕の成分を加熱溶解させて７０℃のホモミキサーで均一に混合した。これに、予め均一に混合しておいた〔５〕〜〔８〕の混合物を攪拌しながら徐々に加えて均一物とした。更に〔９〕を攪拌しながら徐々に加えて均一物としたのち、室温（２５℃）に冷却し、乳液状ファンデーションを得た。
【０１０１】
［配合処方Ｃ］
〔１〕ワックス状シリコーン（１）                  １５質量部
〔２〕デカメチルシクロペンタシロキサン            ３０質量部
〔３〕メチルフェニルポリシロキサン「ＦＺ−１９７」（日本ユニカー（株）製）
１０質量部
〔４〕スクワラン                                  １０質量部
〔５〕ジメチルポリシロキサン（５ｍｍ2 ／ｓ）      １２質量部
〔６〕二酸化チタン                                １５質量部
〔７〕モンモリロナイト                              ３質量部
〔８〕顔料                                            適量
〔９〕精製水                                        ５質量部
【０１０２】
＜実施例１１（ファンデーションの調製例）＞
ワックス状シリコーン（１）１５質量部に代えてワックス状シリコーン（２）１５質量部を使用した以外は実施例１０と同様に乳液状ファンデーションを調製した。
【０１０３】
＜実施例１２（ファンデーションの調製例）＞
ワックス状シリコーン（１）１５質量部に代えてワックス状シリコーン（３）１５質量部を使用した以外は実施例１０と同様に乳液状ファンデーションを調製した。
【０１０４】
＜実施例１３（アイライナーの調製例）＞
下記に示す配合処方Ｄに従い、下記のようにして眉墨（本発明の化粧料）を製造した。  下記〔１〕〜〔４〕を加熱溶解させて７０℃のホモミキサーで均一に混合した。これに、予め均一に混合しておいた〔５〕と〔６〕の混合物を攪拌しながら徐々に加えて均一物とし、乳液状アイライナーを得た。
【０１０５】
［配合処方Ｄ］
〔１〕ワックス状シリコーン（１）                  １８質量部
〔２〕ジメチルポリシロキサン（５０ｍｍ2 ／ｓ）    １２質量部
〔３〕流動パラフィン                              ２０質量部
〔４〕ジイソステアリン酸グリセリル                ２０質量部
〔５〕モンモリロナイト                            １０質量部
〔６〕顔料                                        ２０質量部
【０１０６】
＜実施例１４（アイライナーの調製例）＞
ワックス状シリコーン（１）１８質量部に代えてワックス状シリコーン（２）１８質量部を使用した以外は実施例１３と同様に乳液状アイライナーを調製した。
【０１０７】
＜実施例１５（アイライナーの調製例）＞
ワックス状シリコーン（１）１８質量部に代えてワックス状シリコーン（３）１８質量部を使用した以外は実施例１３と同様に乳液状アイライナーを調製した。
【産業上の利用可能性】
【０１０８】
本発明のワックス状オルガノポリシロキサンは、油性成分および有機溶剤への分散性が良好であることから、化粧料の配合成分として好適に利用することができる。
【図面の簡単な説明】
【０１０９】
【図１】（ＳｉＨ１）について測定されたＧＰＣチャートである。
【図２】（ＳｉＨ２）について測定されたＧＰＣチャートである。
【図３】（ＳｉＨ３）について測定されたＧＰＣチャートである。
【図１】
2006070218.tif 000010
【図２】
2006070218.tif 000011
【図３】
2006070218.tif 000012